(57)【要約】【課題】ユーザが清掃等の手入れを行うに際し、外刃組と内刃組とが所定の組み立て位置からずれることがない、もしくは、ずれることを防止し易いロータリー式電気かみそりを提供する。【解決手段】本発明ロータリー式電気かみそり１は、多数の髭進入口が形成された環状の髭剃り面を上面に有する外刃２２と、前記外刃２２の下面に前記髭剃り面の下方から摺接しつつ回転する小刃を持つ内刃４２とを有するロータリー式電気かみそりにおいて、外刃２２が外刃カバー２０に組み付けられた外刃組４と、内刃４２が内刃ガイド４０に組み付けられた内刃組５とを備え、外刃組４および内刃組５は、一方に位置合わせ凸部３０が、他方に位置合わせ凹部５０がそれぞれ設けられ、外刃組４と内刃組５とが所定の組み立て位置の場合にのみ、位置合わせ凸部３０と位置合わせ凹部５０とが嵌合可能となって外刃組４と内刃組５との組み立てが可能となる。【選択図】図４
2014117381.tif 000002
【特許請求の範囲】
【請求項１】
多数の髭進入口が形成された環状の髭剃り面を上面に有する外刃と、前記外刃の下面に前記髭剃り面の下方から摺接しつつ回転する小刃を持つ内刃とを有するロータリー式電気かみそりにおいて、
前記外刃が外刃保持ユニットに組み付けられた外刃組と、
前記内刃が内刃保持ユニットに組み付けられた内刃組と、を備え、
前記外刃組および前記内刃組は、一方に位置合わせ凸部が、他方に位置合わせ凹部がそれぞれ設けられ、該外刃組と該内刃組とが所定の組み立て位置の場合にのみ、該位置合わせ凸部と該位置合わせ凹部とが嵌合可能となって該外刃組と該内刃組との組み立てが可能となること
を特徴とするロータリー式電気かみそり。
【請求項２】
前記外刃組および前記内刃組は、前記他方に干渉部が設けられ、該外刃組と該内刃組とが所定以外の組み立て位置の場合に、前記位置合わせ凸部と前記干渉部とが干渉して該外刃組と該内刃組との組み立てが不可能となること
を特徴とする請求項１記載のロータリー式電気かみそり。
【請求項３】
多数の髭進入口が形成された環状の髭剃り面を上面に有する外刃と、前記外刃の下面に前記髭剃り面の下方から摺接しつつ回転する小刃を持つ内刃とを有するロータリー式電気かみそりにおいて、
前記外刃が外刃保持ユニットに組み付けられた外刃組と、
前記内刃が内刃保持ユニットに組み付けられた内刃組と、を備え、
前記外刃組および前記内刃組は、該外刃組と該内刃組とが所定の組み立て位置の場合にのみ相互に同色同士の組み合わせとなるように、前記外刃保持ユニットにおける各外刃の周囲に彩色が施され、且つ、前記内刃保持ユニットにおける各内刃の周囲に彩色が施されていること
を特徴とするロータリー式電気かみそり。
【請求項４】
多数の髭進入口が形成された環状の髭剃り面を上面に有する外刃と、前記外刃の下面に前記髭剃り面の下方から摺接しつつ回転する小刃を持つ内刃とを有するロータリー式電気かみそりにおいて、
前記外刃が外刃保持ユニットに組み付けられた外刃組と、
前記内刃が内刃保持ユニットに組み付けられた内刃組と、を備え、
前記外刃組と前記内刃組とは、相互に接着、溶着、ネジ留め、もしくはスナップフィット係合によって固定されていること
を特徴とするロータリー式電気かみそり。
【発明の詳細な説明】
【技術分野】
【０００１】
本発明は、ロータリー式電気かみそりに関する。
【背景技術】
【０００２】
例えば特許文献１に記載された、多数の髭進入口が形成された環状の髭剃り面を上面に有する外刃と、外刃の下面に前記髭剃り面の下方から摺接しつつ回転する小刃を持つ内刃とを有するロータリー式電気かみそりが知られている。
【先行技術文献】
【特許文献】
【０００３】
【特許文献１】特開２０１１−１４３１０１号公報
【発明の概要】
【発明が解決しようとする課題】
【０００４】
ここで、特許文献１に例示されるロータリー式電気かみそりの外刃組および内刃組は、それぞれ、点対称に複数組（この場合、三組）の外刃および内刃が設けられる構成である。したがって、外刃組と内刃組とを組み立てる場合、相互に所定角度（この場合、１２０［°］）ずつ位置をずらせば、複数通り（この場合、三通り）の組み立て方が可能な構成であった。
【０００５】
しかしながら、当該ロータリー式電気かみそりにおいては、外刃組と内刃組とが所定の組み立て位置において、外刃および内刃の摺合せ加工を行っている。したがって、外刃組と内刃組とが所定の組み立て位置の場合にのみ、設定した切れ味を奏することができる。その一方、例えば、ユーザが日常的な手入れのために外刃組と内刃組とを分離させて清掃等を行った後、誤って外刃組と内刃組とを所定以外の組み立て位置で組み立てを行ってしまうと、設定した切れ味を奏することができず、切れ味が低下してしまうという課題があった。
【０００６】
本発明は、上記事情に鑑みてなされ、ユーザが清掃等の手入れを行うに際し、外刃組と内刃組とが所定の組み立て位置からずれることがない、もしくは、ずれることを防止し易いロータリー式電気かみそりを提供することを目的とする。
【課題を解決するための手段】
【０００７】
一実施形態として、以下に開示するような解決手段により、前記課題を解決する。
【０００８】
開示のロータリー式電気かみそりは、多数の髭進入口が形成された環状の髭剃り面を上面に有する外刃と、前記外刃の下面に前記髭剃り面の下方から摺接しつつ回転する小刃を持つ内刃とを有するロータリー式電気かみそりにおいて、前記外刃が外刃保持ユニットに組み付けられた外刃組と、前記内刃が内刃保持ユニットに組み付けられた内刃組と、を備え、前記外刃組および前記内刃組は、一方に位置合わせ凸部が、他方に位置合わせ凹部がそれぞれ設けられ、該外刃組と該内刃組とが所定の組み立て位置の場合にのみ、該位置合わせ凸部と該位置合わせ凹部とが嵌合可能となって該外刃組と該内刃組との組み立てが可能となることを要件とする。
【発明の効果】
【０００９】
開示のロータリー式電気かみそりによれば、ユーザが清掃等の手入れを行うに際し、外刃組と内刃組とが所定の組み立て位置からずれることがない、もしくは、ずれることを防止できる。それによって、髭を剃る際の切れ味が低下してしまうことを防止して、設定した切れ味を長期に維持することができる。
【図面の簡単な説明】
【００１０】
【図１】本発明の実施形態に係るロータリー式電気かみそりの例を示す概略図（斜視図）である。
【図２】図1に示すロータリー式電気かみそりの構成を説明するための概略図（分解斜視図）である。
【図３】図１に示すロータリー式電気かみそりのヘッド部の第一の実施形態を示す概略図（斜視図）である。
【図４】図１に示すロータリー式電気かみそりのヘッド部の第二の実施形態を示す概略図（斜視図）である。
【図５】図１に示すロータリー式電気かみそりのヘッド部の第二の実施形態（他の例）を示す概略図（斜視図）である。
【発明を実施するための形態】
【００１１】
以下、図面を参照して、本発明の実施形態について詳しく説明する。図１は、本発明の実施形態に係るロータリー式電気かみそり１の例を示す斜視図（概略図）であり、図２は、ロータリー式電気かみそり１のヘッド部の分解斜視図（概略図）である。なお、実施形態を説明するための全図において、同一の機能を有する部材には同一の符号を付し、その繰り返しの説明は省略する場合がある。
【００１２】
本実施形態に係るロータリー式電気かみそり１は、図１、２に示すように、多数の髭進入口が形成された髭剃り面（後述の環状髭剃り面）を上面に有する外刃２２と、外刃２２の下面に当該髭剃り面の下方から摺接しつつ回転する小刃を持つ内刃４２とを有し、髭進入口に進入した髭を外刃２２と内刃４２とでカットするロータリー式電気かみそりである。なお、外刃２２と内刃４２との組合せを三組有するロータリー式電気かみそりを例に挙げて説明するが、これに限定されるものではない。
【００１３】
図１において符号２は本体部であり、略円柱状のグリップ部１２の上部を斜め前上方へ折曲したケース１４を持つ。このケース１４は前後割りであり、その内部には充電可能な電池、電気モータ、制御回路基板等（不図示）が収容されている。ケース１４の前面には電源スイッチ１６が取り付けられ、このスイッチ１６の下方には電池の充電残量や動作状態等を示すＬＥＤランプからなる表示部１７が設けられている。
【００１４】
ケース１４の上部にはヘッド部３が開閉可能且つ着脱可能に取り付けられている。なおヘッド部３は、その髭剃り面（外刃２２の上面）が斜め前上方を指向するようにケース１４のグリップ部１２に対して傾いている。前記電気モータはその回転出力軸がこのヘッド部３の内部に向かってケース１４の上面から突出し、内刃４２を回転駆動すると共に、内刃４２を上方に弾性を持って押し上げて外刃２２の下面に対する接触圧を適正に保持している。
【００１５】
図２に示すように、ヘッド部３は、外刃組４と内刃組５とを組み立てて構成されており、本体部２のヘッド保持台１８に対して着脱自在に保持される。
【００１６】
本実施形態に係る外刃組４は、同図２に示すように、外刃２２が外刃保持ユニット２０に組み付けられて構成される。ここで、外刃保持ユニット２０は、刃枠２６と外刃リム２４（２４Ａ、２４Ｂ、２４Ｃ）とを備えて構成される。より詳しくは、刃枠２６は正面視略三角形で周縁をなだらかに下方へ湾曲させた形状を有すると共に、三つの円形の取付口が形成され、ここにそれぞれ外刃リム２４Ａ、２４Ｂ、２４Ｃが可動に保持される。当該外刃リム２４Ａ、２４Ｂ、２４Ｃには、ストッパリング（不図示）を介して三つの外刃２２、２２、２２がそれぞれ嵌め込まれて構成される。
【００１７】
外刃２２は、全体として略円盤状で周縁が下方に折曲された形状を有しており、様々な構成を採用することができるが、本実施形態においては、外刃２２の上面に、中心軸と同心に二つ（二重）の環状の髭剃り面２２ａ、２２ｂと、これらの間に位置する環状凹溝とが形成されている。ただし、この構成に限定されるものではない。
また、当該環状の髭剃り面２２ａ、２２ｂには、多数の髭進入口が形成されており、その上面が外刃リム２４より突出する構成となっている。本実施形態においては、当該髭進入口として、スリット状の髭進入口を備えている。ただし、髭進入口の形状はスリット状に限定されるものではなく、丸孔状等としてもよい。
【００１８】
一方、本実施形態に係る内刃組５は、同図２に示すように、内刃４２が内刃保持ユニット４０に組み付けられて構成される。ここで、内刃保持ユニット４０は、内刃保持部材４４（４４Ａ、４４Ｂ、４４Ｃ）と、刃枠ギヤ４６と、刃押え板４８とを備えて構成される。より詳しくは、三つの内刃４２、４２、４２がそれぞれ内刃保持部材４４Ａ、４４Ｂ、４４Ｃにはめ込まれて、三つの刃枠ギヤ４６、４６、４６に組みつけられる。刃押え板４８は刃枠ギヤ４６を保持すると共に、外刃組４と内刃組５との組み立て状態において前記外刃リム２４を弾性的に押し上げる作用をなす。
【００１９】
内刃４２は、外刃２２の髭剃り面２２ａ、２２ｂの下面（内刃摺動面）に摺接する小刃４２ａ、４２ｂを備えて構成される。内刃４２は継手（不図示）を介して電気モータ（不図示）の駆動軸に連結されて回転駆動される。
【００２０】
以上の構成を備えて、ヘッド部３は、本体部２のヘッド保持台１８に対して着脱自在となり、また、ヘッド部３を構成する外刃組４と内刃組５とは組み立て（連結）・組み外し（分離）が自在となる。
外刃組４と内刃組５とが組み立てられることによって、外刃２２の髭剃り面２２ａ、２２ｂの下面に、内刃４２の小刃４２ａ、４２ｂの上端縁がそれぞれ当接する状態となる。この状態で、内刃４２を回転駆動することによって、髭進入口に入った髭をカットすることができる。
【００２１】
ところで、図１、２に示すように、ロータリー式電気かみそり１において、外刃組４は、三組の外刃２２、２２、２２が点対称に配置される構成を備えている。また、内刃組５は、三組の内刃４２、４２、４２が点対称に配置される構成を備えている。したがって、外刃組と内刃組とを組み立てる場合、相互に１２０［°］ずつ位置をずらせば、三通りの組み立て方が可能となる場合が生じ得る。
【００２２】
ここで、外刃組４と内刃組５とは、所定の組み立て位置において、それぞれ対応する三組の外刃２２、２２、２２外刃と三組の内刃４２、４２、４２との摺合せ加工を行っている。したがって、外刃組４と内刃組５とが所定の組み立て位置の場合にのみ、設定した切れ味を奏することができるようになっている。
しかし、例えば髭屑の除去や洗浄等の日常的な手入れのためにユーザ（ロータリー式電気かみそりの使用者）が外刃組４と内刃組５とを組み外した（分離させた）後、誤って外刃組４と内刃組５とを所定以外の組み立て位置で組み立てを行ってしまうと、設定した切れ味を奏することができず、切れ味が低下してしまうという課題が生じる。
【００２３】
この課題に対して、ヘッド部３を以下に例示する実施形態に係る構成とすることによって、その解決を可能とする。
【００２４】
（第一の実施形態）
本実施形態に係るヘッド部３は、ユーザが工具を用いずに外刃組４と内刃組５とを分離することができない構成を備えている。一例として、図３に示すように、外刃組４と内刃組５との組み立てがネジ留めによる固定構造となっている。これによれば、ユーザは工具（ネジ回転工具）を用いなければ、外刃組４と内刃組５とを分離することができない。したがって、清掃等の日常的な手入れのためにユーザが外刃組４と内刃組５とを組み外すことがない（もしくは組み外すことの阻害要因となる）ため、組み外し（分離）後にユーザが誤って外刃組４と内刃組５とを所定以外の組み立て位置で組み立てを行うという課題の解決が可能となる。
【００２５】
また、他の例として、外刃組４と内刃組５との組み立てを、接着もしくは溶着による固定構造としてもよい（不図示）。これによれば、ユーザが外刃組４と内刃組５とを分離することができない構成が実現できる。
【００２６】
さらに、他の例として、外刃組４と内刃組５との組み立てを、スナップフィット係合による固定構造としてもよい（不図示）。これによれば、ユーザが工具（プライヤー等）を用いなければ外刃組４と内刃組５とを分離することができない、もしくは分離することが困難な構成が実現できる。
【００２７】
（第二の実施形態）
本実施形態に係るヘッド部３は、外刃組４と内刃組５とが所定の組み立て位置の場合にのみ、相互に組み立てを行うことが可能となる構成を備えている。一例として、三組の外刃２２および内刃４２を備えるロータリー式電気かみそりの場合には、図４に示すように、外刃組４および内刃組５の一方（ここでは外刃組４）に位置合わせ凸部３０が設けられており、他方（ここでは内刃組５）に位置合わせ凹部５０が設けられている。さらに、他方（ここでは内刃組５）には、外刃組４と内刃組５とが所定以外の組み立て位置の場合に一方（ここでは外刃組４）の位置合わせ凸部３０と干渉することによって、外刃組４と内刃組５との組み立てを阻害する（不可能とする）干渉部５２が設けられている。本実施形態に係る干渉部５２は、内刃組５において位置合わせ凹部５０と点対称（中心Ｃ）の位置（図４参照）に凹部の無い平板部として形成されている。この構成によって、仮に、外刃組４と内刃組５とが所定の組み立て位置から相互に１２０［°］ずれた位置となった場合に、二つの位置合わせ凸部３０の一方は、位置合わせ凹部５０と相対して嵌合可能となるが、他方は、干渉部５２と相対して嵌合不可能となるため、外刃組４と内刃組５との組み立てを阻害する（不可能とする）作用が得られる。
なお、変形例として、内刃組５に位置合わせ凸部３０を設け、外刃組４に位置合わせ凹部５０および干渉部５２を設ける構成としてもよい（不図示）。
【００２８】
ここで、位置合わせ凸部の「凸部」は、柱状、円錐・多角錐状、板状等の突起形状全般を含む語として定義する。また、位置合わせ凹部の「凹部」は、溝、孔、窪み、所用の空間部等、凸部（突起形状）に対して嵌合可能な形状全般を含む語として定義する。
【００２９】
以上のように、外刃組４と内刃組５とが所定の組み立て位置（同図４に示す位置）の場合にのみ、位置合わせ凸部３０と位置合わせ凹部５０とが嵌合可能となる構成となっている。一方、外刃組４と内刃組５とが所定以外の組み立て位置の場合には、位置合わせ凸部３０と位置合わせ凹部５０とが嵌合不可能となる構成となっている。
これによれば、外刃組４と内刃組５とが所定の組み立て位置の場合にのみ、位置合わせ凸部３０と位置合わせ凹部５０とが嵌合可能となるため、外刃組４と内刃組５との組み立てを行うことが可能となる。したがって、組み外し（分離）後にユーザが誤って外刃組４と内刃組５とを所定以外の組み立て位置で組み立てを行うという課題の解決が可能となる。
【００３０】
また、他の例として、二組の外刃２２および内刃４２を備えるロータリー式電気かみそりの場合を、図５に示す。
同図５に示すように、外刃組４および内刃組５の一方（ここでは内刃組５）に位置合わせ凸部３０が設けられており、他方（ここでは外刃組４）に位置合わせ凹部５０が設けられている。さらに、他方（ここでは外刃組４）には、外刃組４と内刃組５とが所定以外の組み立て位置の場合に一方（ここでは内刃組５）の位置合わせ凸部３０と干渉することによって、外刃組４と内刃組５との組み立てを阻害する（不可能とする）干渉部５２が設けられている。本実施形態に係る干渉部５２は、外刃組４において位置合わせ凹部５０と点対称（中心Ｃ）の位置（図５参照）に位置合わせ凸部３０と当接して進入を阻害する凸部（突起部）として形成されている。この構成によって、仮に、外刃組４と内刃組５とが所定の組み立て位置から相互に１８０［°］ずれた位置となった場合に、位置合わせ凸部３０は、干渉部５２と相対して嵌合不可能となるため、外刃組４と内刃組５との組み立てを阻害する（不可能とする）作用が得られる。
なお、変形例として、外刃組４に位置合わせ凸部３０を設け、内刃組５に位置合わせ凹部５０および干渉部５２を設ける構成としてもよい（不図示）。
【００３１】
（第三の実施形態）
本実施形態に係るヘッド部３は、外刃組４と内刃組５とが所定の組み立て位置となるように組み立てを誘導する構成を備えている。より具体的には、外刃組４および内刃組５は、当該外刃組４と内刃組５とが所定の組み立て位置の場合にのみ相互に同色同士の組み合わせとなるように、外刃保持ユニット２０における各外刃２２の周囲の部材に彩色が施され、且つ、内刃保持ユニット４０における各内刃４２の周囲の部材に彩色が施された構成を備えている。
【００３２】
一例として、三組の外刃２２および内刃４２を備えるロータリー式電気かみそりの場合について、前述の第二の実施形態に係る図４を参照して説明すれば、外刃保持ユニット２０における外刃リム２４Ａと内刃保持ユニット４０における内刃保持部材４４Ａとを同色（例えば青色）とし、外刃保持ユニット２０における外刃リム２４Ｂと内刃保持ユニット４０における内刃保持部材４４Ｂとを同色（例えば赤色）とし、外刃保持ユニット２０における外刃リム２４Ｃと内刃保持ユニット４０における内刃保持部材４４Ｃとを同色（例えば緑色）となるように、それぞれ彩色が施された構成となっている。ここで、彩色方法は特に限定されるものではなく、原材料に着色をしてから形成することによる部材そのものの彩色としてもよく、部材を形成した後に着色材料を用いて着色をしてもよい。また、着色を施したシール類を部材に添付する等による方法としてもよい。なお、上記の色例示はあくまでも一実施例であり、それらの色に限定されるものではない。また、彩色に代えて、模様・マーク等も同様に適用することができる。
【００３３】
これによれば、外刃組４と内刃組５とが所定の組み立て位置の場合に、外刃組４と内刃組５とが同色同士の組み合わせとなる。すなわち、外刃保持ユニット２０における各外刃２２の周囲の部材（ここでは外刃リム２４）に施された色と、内刃保持ユニット４０における各内刃４２の周囲の部材（ここでは内刃保持部材４４）に施された色とが、同色同士の組み合わせとなる。それにより、ユーザに対して、外刃組４および内刃組５における所定の組み立て位置を容易に認識させることができるため、当該組み立て位置となるように容易に誘導することができる。したがって、組み外し（分離）後にユーザが誤って外刃組４と内刃組５とを所定以外の組み立て位置で組み立てを行うという課題の解決が可能となる。
【００３４】
また、他の例として、二組の外刃２２および内刃４２を備えるロータリー式電気かみそりの場合について、前述の第二の実施形態に係る図５を参照して説明すれば、外刃保持ユニット２０における外刃リム２４Ａと内刃保持ユニット４０における内刃保持部材４４Ａとを同色（例えば青色）とし、外刃保持ユニット２０における外刃リム２４Ｂと内刃保持ユニット４０における内刃保持部材４４Ｂとを同色（例えば赤色）となるように、それぞれ彩色が施された構成となっている。したがって、上記と同様に、組み外し（分離）後にユーザが誤って外刃組４と内刃組５とを所定以外の組み立て位置で組み立てを行うという課題の解決が可能となる。
【００３５】
以上、説明した通り、本発明に係るロータリー式電気かみそり１によれば、ユーザが清掃等の日常的な手入れ等を行うに際し、外刃組４と内刃組５とが所定以外の組み立て位置で組み立てを行ってしまうことを防止できる。それによって、髭を剃る際の切れ味が低下してしまうことを防止して、設定した切れ味を長期に維持することができる。
【００３６】
なお、本発明は、以上説明した実施例に限定されることなく、本発明を逸脱しない範囲において種々変更が可能である。特に、外刃と内刃との組合せを二組もしくは三組有するロータリー式電気かみそりを例に挙げて説明を行ったが、これに限定されるものではない。
【符号の説明】
【００３７】
１  ロータリー式電気かみそり
２  本体部
３  ヘッド部
４  外刃組
５  内刃組
１２  グリップ部
１４  ケース
１６  電源スイッチ
２０  外刃保持ユニット
２２  外刃
２４、２４Ａ、２４Ｂ、２４Ｃ  外刃リム
２６  刃枠
３０  位置合わせ凸部
４０  内刃保持ユニット
４２  内刃
４４、４４Ａ、４４Ｂ、４４Ｃ  内刃保持部材
４６  刃枠ギヤ
４８  刃押え板
５０  位置合わせ凹部
５２  干渉部
【図１】
2014117381.tif 000003
【図２】
2014117381.tif 000004
【図３】
2014117381.tif 000005
【図４】
2014117381.tif 000006
【図５】
2014117381.tif 000007